【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
交流電源に接続された負荷に供給される電力を位相制御又は逆位相制御する位相制御装置において、
ソース又はエミッタが前記交流電源の一端と接続されると共に、ドレイン又はコレクタが前記負荷の一端と接続される第１トランジスタと、
ソース又はエミッタが前記交流電源の他端と接続されると共に、ドレイン又はコレクタが前記負荷の他端と接続される第２トランジスタと、
ダイオードブリッジと、
抵抗と、
ツェナーダイオード及びコンデンサの並列回路とを備えており、
前記ダイオードブリッジの一方の入力端子は、前記交流電源と前記第１トランジスタの接続点に接続され、前記ダイオードブリッジの他方の入力端子は、前記交流電源と前記第２トランジスタの接続点に接続され、前記抵抗の一端は、前記ダイオードブリッジの正側の出力端子に接続され、前記抵抗の他端は、前記ツェナーダイオードのカソードと前記コンデンサの一端と接続され、前記ツェナーダイオードのアノードと前記コンデンサの他端は、前記ダイオードブリッジの負側の出力端子と接続されており、
前記第１トランジスタの制御端子の電位と前記第２トランジスタの制御端子の電位とが、前記抵抗と前記並列回路の接続点の電位と、前記ダイオードブリッジの負側の出力端子の電位との間で切り換えられることを特徴とする位相制御装置。
【請求項２】
スイッチング素子を更に備えており、
前記第１トランジスタの制御端子及び前記第２トランジスタの制御端子の各々は、前記スイッチング素子の一端とゲート抵抗を介して接続されており、
前記スイッチング素子のオン・オフに応じて、前記スイッチング素子の一端の電位が、前記抵抗と前記並列回路の接続点の電位と、前記ダイオードブリッジの負側の出力端子の電位との間で切り換わる、請求項１に記載の位相制御装置。
【請求項３】
交流電源に接続された負荷に供給される電力を位相制御又は逆位相制御する位相制御装置において、
ソース又はエミッタが前記交流電源の一端と接続されると共に、ドレイン又はコレクタが前記負荷の一端と接続される第１トランジスタと、
ソース又はエミッタが前記交流電源の他端と接続されると共に、ドレイン又はコレクタが前記負荷の他端と接続される第２トランジスタと、
ダイオードブリッジと、
抵抗と、
ツェナーダイオード及びコンデンサの並列回路とを備えており、
前記ダイオードブリッジの一方の入力端子は、前記交流電源と前記第１トランジスタの接続点に接続され、前記ダイオードブリッジの他方の入力端子は、前記交流電源と前記第２トランジスタの接続点に接続され、前記抵抗の一端は、前記ダイオードブリッジの負側の出力端子に接続され、前記抵抗の他端は、前記ツェナーダイオードのアノードと前記コンデンサの一端と接続され、前記ツェナーダイオードのカソードと前記コンデンサの他端は、前記ダイオードブリッジの正側の出力端子と接続されており、
前記第１トランジスタの制御端子の電位と前記第２トランジスタの制御端子の電位とが、前記抵抗と前記並列回路の接続点の電位と、前記ダイオードブリッジの正側の出力端子の電位との間で切り換えられることを特徴とする位相制御装置。
【請求項４】
スイッチング素子を更に備えており、
前記第１トランジスタの制御端子及び前記第２トランジスタの制御端子の各々は、前記スイッチング素子の一端とゲート抵抗を介して接続されており、
前記スイッチング素子のオン・オフに応じて、前記スイッチング素子の一端の電位が、前記抵抗と前記並列回路の接続点の電位と、前記ダイオードブリッジの正側の出力端子の電位との間で切り換わる、請求項３に記載の位相制御装置。
【請求項５】
交流電源に接続された負荷に供給される電力を、前記負荷に直列に設けられるスイッチング手段を用いて位相制御又は逆位相制御する位相制御装置において、
前記スイッチング手段は、
前記交流電源と前記負荷の間に設けられる第１トランジスタと、
前記第１トランジスタと極性が異なると共に、前記第１トランジスタに並列に設けられる第２トランジスタと、
前記第１トランジスタに対して順方向に直列に接続される第１ダイオードと、
前記第２トランジスタに対して順方向に直列に接続される第２ダイオードとを備えており、
ダイオードブリッジと、
抵抗と、
第１ツェナーダイオード及び第１コンデンサの第１並列回路と、
第２ツェナーダイオード及び第２コンデンサの第２並列回路とを備えており、
前記第１トランジスタのソース又はエミッタと前記第２トランジスタのソース又はエミッタとは、前記交流電源側に配置されており、
前記ダイオードブリッジの一方の入力端子は、前記交流電源と前記スイッチング手段の接続点に接続され、前記ダイオードブリッジの他方の入力端子は、前記交流電源と前記負荷の接続点に接続され、前記抵抗の一端は、前記第１ツェナーダイオードのカソードと前記第１コンデンサの一端と接続され、前記抵抗の他端は、前記第２ツェナーダイオードのアノードと前記第２コンデンサの一端と接続され、前記第１ツェナーダイオードのアノードと前記第１コンデンサの他端とは、前記ダイオードブリッジの負側の出力端子に接続され、前記第２ツェナーダイオードのカソードと前記第２コンデンサの他端とは、前記ダイオードブリッジの正側の出力端子に接続されており、
前記第１トランジスタの制御端子の電位が、前記抵抗と前記第１並列回路の接続点の電位と、前記ダイオードブリッジの負側の出力端子の電位との間で切り換えられると共に、前記第２トランジスタの制御端子の電位が、前記抵抗と前記第２並列回路の接続点の電位と、前記ダイオードブリッジの正側の出力端子の電位との間で切り換えられることを特徴とする位相制御装置。
【請求項６】
第１スイッチング素子と、
第２スイッチング素子とを更に備えており、
前記第１トランジスタの制御端子は、前記第１スイッチング素子の一端とゲート抵抗を介して接続されており、
前記第１スイッチング素子のオン・オフに応じて、前記第１スイッチング素子の一端の電位は、前記抵抗と前記第１並列回路の接続点の電位と、前記ダイオードブリッジの負側の出力端子の電位との間で切り換わり、
前記第２トランジスタの制御端子は、前記第２スイッチング素子の一端とゲート抵抗を介して接続されており、
前記第２スイッチング素子のオン・オフに応じて、前記第２スイッチング素子の一端の電位は、前記抵抗と前記第２並列回路の接続点の電位と、前記ダイオードブリッジの正側の出力端子の電位との間で切り換わる、請求項５に記載の位相制御装置。
【請求項７】
交流電源に接続された負荷に供給される電力を、前記負荷に直列に設けられるスイッチング手段を用いて位相制御又は逆位相制御する位相制御装置において、
前記スイッチング手段は、
前記交流電源と前記負荷の間に設けられる第１トランジスタと、
前記第１トランジスタと極性が異なると共に、前記第１トランジスタに並列に設けられる第２トランジスタと、
前記第１トランジスタに対して順方向に直列に接続される第１ダイオードと、
前記第２トランジスタに対して順方向に直列に接続される第２ダイオードとを備えており、
ダイオードブリッジと、
第１抵抗と、
第２抵抗と、
第１ツェナーダイオード及び第１コンデンサの第１並列回路と、
第２ツェナーダイオード及び第２コンデンサの第２並列回路とを備えており、
前記第１トランジスタのソース又はエミッタと前記第２トランジスタのソース又はエミッタとは、前記交流電源側に配置されており、
前記ダイオードブリッジの一方の入力端子は、前記交流電源と前記スイッチング手段の接続点に接続され、前記ダイオードブリッジの他方の入力端子は、前記交流電源と前記負荷の接続点に接続され、前記第１抵抗の一端は、前記第１ツェナーダイオードのカソードと前記第１コンデンサの一端と接続され、前記第２抵抗の一端は、前記第２ツェナーダイオードのアノードと前記第２コンデンサの一端と接続され、前記第２抵抗の他端と、前記第１ツェナーダイオードのアノードと、前記第１コンデンサの他端とは、前記ダイオードブリッジの負側の出力端子に接続され、前記第１抵抗の他端と、前記第２ツェナーダイオードのカソードと、前記第２コンデンサの他端とは、前記ダイオードブリッジの正側の出力端子に接続されており、
前記第１トランジスタの制御端子の電位が、前記第１抵抗と前記第１並列回路の接続点の電位と、前記ダイオードブリッジの負側の出力端子の電位との間で切り換えられると共に、前記第２トランジスタの制御端子の電位が、前記第２抵抗と前記第２並列回路の接続点の電位と、前記ダイオードブリッジの正側の出力端子の電位との間で切り換えられることを特徴とする位相制御装置。
【請求項８】
第１スイッチング素子と、
第２スイッチング素子とを更に備えており、
前記第１トランジスタの制御端子は、前記第１スイッチング素子の一端とゲート抵抗を介して接続されており、
前記第１スイッチング素子のオン・オフに応じて、前記第１スイッチング素子の一端の電位は、前記第１抵抗と前記第１並列回路の接続点の電位と、前記ダイオードブリッジの負側の出力端子の電位との間で切り換わり、
前記第２トランジスタの制御端子は、前記第２スイッチング素子の一端とゲート抵抗を介して接続されており、
前記第２スイッチング素子のオン・オフに応じて、前記第２スイッチング素子の一端の電位は、前記第２抵抗と前記第２並列回路の接続点の電位と、前記ダイオードブリッジの正側の出力端子の電位との間で切り換わる、請求項７に記載の位相制御装置。
【請求項９】
交流電源に接続された負荷に供給される電力を位相制御又は逆位相制御する位相制御装置において、
ソース又はエミッタが前記交流電源の一端と接続されると共に、ドレイン又はコレクタが前記負荷の一端と接続される第１トランジスタと、
ソース又はエミッタが前記交流電源の他端と接続されると共に、ドレイン又はコレクタが前記負荷の他端と接続される第２トランジスタと、
前記交流電源の交流電圧を整流するダイオードブリッジと、
前記ダイオードブリッジの出力を用いて、前記ダイオードブリッジの負側の出力端子の電位に対して一定の高電位を生成するための、又は、前記ダイオードブリッジの出力を用いて、前記ダイオードブリッジの正側の出力端子の電位に対して一定の低電位を生成するためのツェナーダイオード及びコンデンサの並列回路とを備えており、
前記第１トランジスタの制御端子の電位と前記第２トランジスタの制御端子の電位とが、前記高電位と前記ダイオードブリッジの負側の出力端子の電位との間で、又は、前記低電位と前記ダイオードブリッジの正側の出力端子の電位との間で、切り換えられることを特徴とする位相制御装置。
【請求項１０】
交流電源に接続された負荷に供給される電力を位相制御又は逆位相制御する位相制御装置において、
前記交流電源と前記負荷の間に設けられる第１トランジスタと、
前記第１トランジスタと極性が異なると共に、前記第１トランジスタに並列に配置される第２トランジスタと、
前記第１トランジスタに対して順方向に直列に接続される第１ダイオードと、
前記第２トランジスタに対して順方向に直列に接続される第２ダイオードと、
前記交流電源の交流電圧を整流するダイオードブリッジと、
前記ダイオードブリッジの出力を用いて、前記ダイオードブリッジの負側の出力端子の電位に対して一定の高電位を生成するための第１ツェナーダイオード及び第１コンデンサの第１並列回路と、
前記ダイオードブリッジの出力を用いて、前記ダイオードブリッジの正側の出力端子の電位に対して一定の低電位を生成するための第２ツェナーダイオード及び第２コンデンサの第２並列回路とを備えており、
前記第１トランジスタのソース又はエミッタと前記第２トランジスタのソース又はエミッタとは、前記交流電源側に配置されており、
前記第１トランジスタの制御端子の電位が、前記高電位と前記ダイオードブリッジの負側の出力端子の電位との間で切り換えられると共に、前記第２トランジスタの制御端子の電位が、前記低電位と前記ダイオードブリッジの正側の出力端子の電位との間で切り換えられることを特徴とする位相制御装置。
【手続補正２】
【補正対象書類名】明細書
【補正対象項目名】００１４
【補正方法】変更
【補正の内容】
【００１４】
本発明の位相制御装置は、交流電源に接続された負荷に供給される電力を、前記負荷に直列に設けられるスイッチング手段を用いて位相制御又は逆位相制御する位相制御装置において、前記スイッチング手段は、前記交流電源と前記負荷の間に設けられる第１トランジスタと、前記第１トランジスタと極性が異なると共に、前記第１トランジスタに並列に設けられる第２トランジスタと、前記第１トランジスタに対して順方向に直列に接続される第１ダイオードと、前記第２トランジスタに対して順方向に直列に接続される第２ダイオードとを備えており、ダイオードブリッジと、抵抗と、第１ツェナーダイオード及び第１コンデンサの第１並列回路と、第２ツェナーダイオード及び第２コンデンサの第２並列回路とを備えており、前記第１トランジスタのソース又はエミッタと前記第２トランジスタのソース又はエミッタとは、前記交流電源側に配置されており、前記ダイオードブリッジの一方の入力端子は、前記交流電源と前記スイッチング手段の接続点に接続され、前記ダイオードブリッジの他方の入力端子は、前記交流電源と前記負荷の接続点に接続され、前記抵抗の一端は、前記第１ツェナーダイオードのカソードと前記第１コンデンサの一端と接続され、前記抵抗の他端は、前記第２ツェナーダイオードのアノードと前記第２コンデンサの一端と接続され、前記第１ツェナーダイオードのアノードと前記第１コンデンサの他端とは、前記ダイオードブリッジの負側の出力端子に接続され、前記第２ツェナーダイオードのカソードと前記第２コンデンサの他端とは、前記ダイオードブリッジの正側の出力端子に接続されており、前記第１トランジスタの制御端子の電位が、前記抵抗と前記第１並列回路の接続点の電位と、前記ダイオードブリッジの負側の出力端子の電位との間で切り換えられると共に、前記第２トランジスタの制御端子の電位が、前記抵抗と前記第２並列回路の接続点の電位と、前記ダイオードブリッジの正側の出力端子の電位との間で切り換えられることを特徴とする。
【手続補正３】
【補正対象書類名】明細書
【補正対象項目名】００１６
【補正方法】変更
【補正の内容】
【００１６】
本発明の位相制御装置は、  交流電源に接続された負荷に供給される電力を、前記負荷に直列に設けられるスイッチング手段を用いて位相制御又は逆位相制御する位相制御装置において、前記スイッチング手段は、前記交流電源と前記負荷の間に設けられる第１トランジスタと、前記第１トランジスタと極性が異なると共に、前記第１トランジスタに並列に設けられる第２トランジスタと、前記第１トランジスタに対して順方向に直列に接続される第１ダイオードと、前記第２トランジスタに対して順方向に直列に接続される第２ダイオードとを備えており、ダイオードブリッジと、第１抵抗と、第２抵抗と、第１ツェナーダイオード及び第１コンデンサの第１並列回路と、第２ツェナーダイオード及び第２コンデンサの第２並列回路とを備えており、前記第１トランジスタのソース又はエミッタと前記第２トランジスタのソース又はエミッタとは、前記交流電源側に配置されており、前記ダイオードブリッジの一方の入力端子は、前記交流電源と前記スイッチング手段の接続点に接続され、前記ダイオードブリッジの他方の入力端子は、前記交流電源と前記負荷の接続点に接続され、前記第１抵抗の一端は、前記第１ツェナーダイオードのカソードと前記第１コンデンサの一端と接続され、前記第２抵抗の一端は、前記第２ツェナーダイオードのアノードと前記第２コンデンサの一端と接続され、前記第２抵抗の他端と、前記第１ツェナーダイオードのアノードと、前記第１コンデンサの他端とは、前記ダイオードブリッジの負側の出力端子に接続され、前記第１抵抗の他端と、前記第２ツェナーダイオードのカソードと、前記第２コンデンサの他端とは、前記ダイオードブリッジの正側の出力端子に接続されており、前記第１トランジスタの制御端子の電位が、前記第１抵抗と前記第１並列回路の接続点の電位と、前記ダイオードブリッジの負側の出力端子の電位との間で切り換えられると共に、前記第２トランジスタの制御端子の電位が、前記第２抵抗と前記第２並列回路の接続点の電位と、前記ダイオードブリッジの正側の出力端子の電位との間で切り換えられることを特徴とする。
【手続補正４】
【補正対象書類名】明細書
【補正対象項目名】００１８
【補正方法】変更
【補正の内容】
【００１８】
本発明の位相制御装置は、交流電源に接続された負荷に供給される電力を位相制御又は逆位相制御する位相制御装置において、ソース又はエミッタが前記交流電源の一端と接続されると共に、ドレイン又はコレクタが前記負荷の一端と接続される第１トランジスタと、ソース又はエミッタが前記交流電源の他端と接続されると共に、ドレイン又はコレクタが前記負荷の他端と接続される第２トランジスタと、前記交流電源の交流電圧を整流するダイオードブリッジと、前記ダイオードブリッジの出力を用いて、前記ダイオードブリッジの負側の出力端子の電位に対して一定の高電位を生成するための、又は、前記ダイオードブリッジの出力を用いて、前記ダイオードブリッジの正側の出力端子の電位に対して一定の低電位を生成するためのツェナーダイオード及びコンデンサの並列回路とを備えており、前記第１トランジスタの制御端子の電位と前記第２トランジスタの制御端子の電位とが、前記高電位と前記ダイオードブリッジの負側の出力端子の電位との間で、又は、前記低電位と前記ダイオードブリッジの正側の出力端子の電位との間で、切り換えられることを特徴とする。
【手続補正５】
【補正対象書類名】明細書
【補正対象項目名】００５９
【補正方法】変更
【補正の内容】
【００５９】
第３実施例の定電圧生成手段(7)のダイオードブリッジ(71')の２つの入力端子は、第１実施例と同様に、ＭＯＳＦＥＴ(31')と交流電源(1)の接続点と、ＭＯＳＦＥＴ(32')と交流電源(1)の接続点とに夫々接続されている。ダイオードブリッジ(71')の正側の出力端子は、コンデンサ(73')及びツェナーダイオード(74')の並列回路と接続されている。コンデンサ(73')の一端とツェナーダイオード(74')のカソードとが、ダイオードブリッジ(71')の正側の出力端子に接続されており、コンデンサ(73')の他端とツェナーダイオード(74')のアノードは、抵抗(72')を介してダイオードブリッジ(71')の負側の出力端子と接続されている。
【手続補正６】
【補正対象書類名】明細書
【補正対象項目名】００７０
【補正方法】変更
【補正の内容】
【００７０】
第１乃至第４実施例の位相制御装置では、交流負荷(2)の電力は位相制御されているが、第１実施例において、交流負荷(2)の電力を逆位相制御する場合には、例えば、フリップフロップ回路(55)の出力端子と第２フォトカプラ(59)の間にインバータを配置すればよい(第３実施例も同様)。第２実施例において、交流負荷(2)の電力を逆位相制御する場合には、例えば、フリップフロップ回路(55)の出力端子と、第２フォトカプラ(59)及び第３フォトカプラ(62)の間にインバータを配置すればよい(第４実施例も同様)。なお、インバータを追加することなく、上述したような負論理に対応した変更を第１乃至第４実施例に行うことで、逆位相制御が行われてもよい。